(57)【要約】【課題】音声案内を使って、異常状態における不安感の解消を図ったり、メンテナンスの時期／方法等を必要な時期にお知らせすることで、誰にでも扱いやすい掃除機を提供することができるものである。【解決手段】スピーカー３を搭載し、操作方法、機器の動作状態などの報知を行うことで、異常状態での使用者の不安感を解消することや、メンテナンスの時期／方法等を必要な時期に知らせすることで、誰にでも扱いやすい掃除機を提供することができる。【選択図】図２
2007275108.tif 000002
【特許請求の範囲】
【請求項１】
音声による報知手段を搭載したことを特徴とする電気掃除機。
【請求項２】
報知手段による報知内容を、使用者による誤操作に対する注意内容及び／又は機器の異常状態に関する内容とした請求項１記載の電気掃除機。
【請求項３】
報知手段による報知内容を、使用者が行う必要のあるメンテナンスに関する内容とした請求項１記載の電気掃除機。
【請求項４】
報知手段による報知内容を、機器の動作状況に関する内容とした請求項１記載の電気掃除機。
【請求項５】
報知手段による報知内容を、機器の使い方に関する内容とした請求項１記載の電気掃除機。
【請求項６】
報知手段による報知内容を、請求項２〜５に記載の報知内容を各々組み合わせたものとした請求項１記載の電気掃除機。
【請求項７】
報知手段による報知の音量調整手段を搭載した請求項１〜６に記載の電気掃除機。
【請求項８】
報知手段による報知の有無の選択手段を搭載した請求項１〜７に記載の電気掃除機。
【請求項９】
報知手段による報知内容が使用者による誤操作に対する注意内容及び／又は機器の異常状態に関する内容である場合、音量調整手段の設定または選択手段による報知の有無の選択に関わらず、一定の音量で報知を行うものとした請求項７記載の電気掃除機。
【発明の詳細な説明】
【技術分野】
【０００１】
本発明は、音声による報知機能を搭載した電気掃除機に関するものである。
【背景技術】
【０００２】
従来、掃除機の状態を表示する手段として、例えば集塵袋が満杯になったことを報知する手段としては、本体の一部にＬＥＤやバネ式の表示手段を用いて表示していた。（例えば、特許文献１および２参照）。
【特許文献１】特許第２５４７６３０号公報
【特許文献２】特開平１０−２４８７７６号公報
【発明の開示】
【発明が解決しようとする課題】
【０００３】
しかしながら、上記従来の構成では、一つの状態に対して一つの報知手段が必要となる。従って、複数の情報を報知する場合には各々の表示手段が必要となっていた。しかし、実際にはスペース的な面や表示が多すぎてかえって使用勝手を悪くする（見るところが多すぎる）等の問題があった。また、機能を多くして表示を省略すると、使用者が使い方に困り、取扱説明書を見ていただくことが前提になってしまうという課題があった。
【０００４】
本発明は、上記課題を解決するためのもので、音声案内を使って、異常状態での使用者の不安感を解消することや、メンテナンスの時期／方法等を必要な時期にお知らせすることで、誰にでも扱いやすい掃除機を提供することを目的とするものである。
【課題を解決するための手段】
【０００５】
上記従来の課題を解決するために、本発明の電気掃除機は、音声案内機能を搭載し、異常状態での使用者の不安感を解消することや、メンテナンスの時期／方法等を必要な時期にお知らせすることで、誰にでも扱いやすい掃除機を提供することができるものである。
【発明の効果】
【０００６】
本発明の電気掃除機は音声案内を使って、異常状態における不安感の解消を図ったり、メンテナンスの時期／方法等を必要な時期にお知らせすることで、誰にでも扱いやすい掃除機を提供することができるものである。
【発明を実施するための最良の形態】
【０００７】
第１の発明は、音声による報知手段を搭載したことを特徴とするもので、異常状態での使用者の不安感を解消することや、メンテナンスの時期／方法等を必要な時期にお知らせすることで、誰にでも扱いやすい掃除機を提供することができるものである。
【０００８】
第２の発明は、報知手段による報知内容を、使用者による誤操作に対する注意内容及び／又は機器の異常状態に関する内容としたもので、使用者が誤操作をした場合や機器事態が何らなの異常状態に陥った場合に、その原因と対処法をお知らせすることにより、使用者の不安感を解消するとともに、正常状態に戻すための案内等ができるものである。
【０００９】
第３の発明は、報知手段による報知内容を、使用者が行う必要のあるメンテナンスに関する内容としたもので、適切な時期に適切なメンテナンスの方法をお知らせする（例えば集塵袋の交換時期が近づいた場合には、新しい集塵袋を事前に準備して頂く旨のお知らせができる。）ことで、メンテナンスが必要な部品がどの部品なのか、そして、その部品が消耗部品の場合には事前準備をお知らせする等のことができるものである。適切な時期に適切なメンテナンスを実施して頂くことは、掃除機の状態を常に良い状態に保つことにも通じるものである。
【００１０】
第４の発明は、報知手段による報知内容を、機器の動作状況に関する内容としたもので、視覚で確認できない運転ポジション（吸引力：強・中・弱）等をお知らせしたり、することで、使用者への安心感を提供できるものである。
【００１１】
第５の発明は、報知手段による報知内容を、機器の使い方に関する内容としたもので、ボタンの説明や使い方のアドバイスを行うことで取扱説明書がなくても使用に困らない掃除機とすることができるものである。
【００１２】
第６の発明は、報知手段による報知内容を、第２〜５の発明の報知内容を各々組み合わせたものとしたもので、掃除機の種々の使用場面に応じた音声案内を行い、使い勝手の良い掃除機を提供することができるものである。
【００１３】
第７の発明は、報知手段による報知の音量調整手段を搭載したもので、使用環境に応じて音量を調整することができ、音量が小さく聞きとりにくいということや、夜掃除する時にうるさすぎるという事に配慮したものである。
【００１４】
第８の発明は、報知手段による報知の有無の選択手段を搭載したもので、掃除機の使い方やメンテナンス時期等に関して習熟されると音声案内がかえって煩わしく思えることが考えられる。このような際に、音声案内を停止していただくことで、使用者の判断で掃除ができる従来同様の掃除機とすることができるものである。
【００１５】
第９の発明は、報知手段による報知内容が使用者による誤操作に対する注意内容及び／又は機器の異常状態に関する内容である場合、音量調整手段の設定または選択手段による報知の有無の選択に関わらず、一定の音量で報知を行うものとしたことで、使用者に確実に情報提供したい内容（何らかの対応が必要な内容）については、音量設定に関わらずお知らせするというものである。
【００１６】
以下、本発明の実施の形態について、図面を参照しながら説明する。なお、この実施の形態によりこの発明が限定されるものではない。
【００１７】
（実施の形態１）
本発明の実施の形態における電気掃除機について、図１〜図４を用いて説明する。図１は本実施の形態における電気掃除機の全体図、図２は同電気掃除機のブロック図、図３は同電気掃除機における音声による報知内容の概略図、図３は同電気掃除機の音声報知の考え方を示した概略図を示す。
【００１８】
図１、２において、１は掃除機本体でモータ２３、集塵手段としての紙パック２、音声による報知手段であるスピーカー３を内蔵し、掃除機本体１の前部には、ホース４の一端に設けた接続パイプ５が着脱自在に接続される吸入口６が設けられている。
【００１９】
ホース４の他端には、掃除の際に握る把手部を備えた手元握りパイプ７が設けられている。手元握りパイプ７には掃除機本体１の運転を制御する運転ボタン８や床用吸込み具９の回転ブラシ１０の回転を制御する強弱ボタン１１を設けている。１２は伸縮自在或いは継ぎ自在の延長管で、下流側端部が前記手元握りパイプ７に着脱自在に接続され、他端は、床用吸込み具９に着脱自在で接続される。また、前記掃除機本体１内部には、モータの異常過熱を検知する温度検知手段１３と、紙パック２内のごみ量を検知するごみ量検知手段１４と、吸引中のごみを検知するごみ検知手段（ゴミセンサー）１５と、各々の検知手段の情報を分析／判断する判断手段１６と、判断した結果に基づいて音声のよる報知を指示する制御回路１７が内蔵されている。また、本体上部に音声報知の音量を調整できる音量調整ボタン２２、音声報知の有無を選択できる選択ボタン２４を設けている。
【００２０】
次に、本実施例における報知手段による音声案内の内容について図３，４に基づいて説明する。図３は、掃除作業を掃除機の運転前・運転中・運転後そして異常時と４つの状況に分類し、各々の状況における音声案内の概略（一部）を示したものである。図にも示しているが、二点鎖線の枠で示した内容が「誤使用／異常状態」１８、実線の枠で示した内容が「メンテナンスのお知らせ」１９、破線の枠で示した内容が「動作状況のお知らせ」２０、一点鎖線の枠で示した内容が「使い方／手順のお知らせ」２１に関するものである。また、図４は、音声報知の考え方を示したもので、「誤使用／異常状態」１８，「メンテナンスのお知らせ」１９，「動作状況のお知らせ」２０，「使い方／手順のお知らせ」２１の音声案内を行うことの使用者に与える効果例を示したものである。
【００２１】
上記構成による作用は、以下の通りである。
【００２２】
掃除機１を運転する前の段階、すなわち電源プラグがコンセントに接続され運転停止状態の時に図３に示した「使い方／手順のお知らせ」２１の音声案内を行う。使い方の音声案内に従って運転ボタンを押すと「動作状況のお知らせ」２０に示すような操作した内容の確認ができる音声案内を行う。掃除が終了し運転を停止すると運転状況の結果をお知らせすることもできる。例えば、今回の掃除で取れたゴミの量等をお知らせするものである。また、掃除中に何らかの異常が認められると運転を停止し、「誤使用／異常状態」１８の音声案内を行い、異常状態の内容とその対処方法をお知らせする。例えば、長時間続けて使用する等でモータが異常に過熱した場合、すなわち温度検知手段１３で検出した温度が、判断手段１６で異常温度と判断されると制御回路１７にて運転が強制停止されるとともに、『モータが熱くなっています。本体が冷めるまでしばらくお待ちください。』等の音声案内を行う。同様に、ゴミ量検知手段１４によって紙パック２内のゴミ量を判断し、紙パックの交換時期がくると『紙パックを交換してください。』等のお知らせする。ゴミ検知手段１５はゴミを吸引していることを検知するものであるが、ゴミ検知手段の反応が鈍くなった場合には、ゴミ検知手段１５のメンテナンスを促す音声案内を行う。ここでは、３つの検知手段についてのみ音声案内を行う例を挙げたが、その他にも紙パックの有無を検知する検知手段があれば紙パックが未装着で運転された場合に、その旨をお知らせする等容易に展開できることは云うまでもない。
【００２３】
また、音量調整ボタン２２にて音声案内の音量を調整することができる。更に、選択ボタン２４により、音声による報知をなし（消音）とすることも可能としている。ただし、図３で示す「誤使用／異常状態」１８の内容に関しては、使用者に何らかの対応をして頂く必要がある内容であるため、消音もしくは音量小の設定になっていても一定の音量で音声案内を行うこととしている。
【産業上の利用可能性】
【００２４】
以上のように、本発明の電気掃除機は、音声案内を使って異常状態における使用者の不安感を解消したり、メンテナンスの時期／方法等を必要な時期にお知らせすることで、誰にでも扱いやすい掃除機を提供することができるものであって、家庭用の電気掃除機に限らず、業務用の電気掃除機や掃除機ロボット（自走式掃除機）等へも適用できる。
【図面の簡単な説明】
【００２５】
【図１】本発明の実施の形態１における電気掃除機の全体図
【図２】本発明の実施の形態１における電気掃除機の構成を示すブロック図
【図３】本発明の実施の形態１における電気掃除機の音声案内内容の概略図
【図４】同電気掃除機の音声機能の考え方を示した概略図
【符号の説明】
【００２６】
３    スピーカー（報知手段）
２２  音量調整ボタン（音量調整手段）
２４  選択ボタン（選択手段）
【図１】
2007275108.tif 000003
【図２】
2007275108.tif 000004
【図３】
2007275108.tif 000005
【図４】
2007275108.tif 000006